(57)【要約】【課題】郵便受と物品収容ボックス双方からの出庫の際の利便性を向上でき、また、居住者専有の物品収容ボックスと比較的大型な物品収容ボックスを用いて種々の大きさの宅配物に対応できるようにする。【解決手段】宅配物または郵便物の集受に用いられる物品収受装置において、配達された宅配物を収容するとともに電気錠により施錠可能な物品収容ボックス１００２と、配達された郵便物を収容する郵便受１００１とをそれぞれ物品収容ボックスと共に特定の宛先に対応づけ、専有ユニット１００１内に隣接して配置する。さらに、特定の宛先に対応づけられる物品収容ボックス１００２とは別に、複数の宛先で共有使用される共有物品収容ボックス（１１００、１１０１）を配置する。専有ユニット１０００の公共側の側部には、着荷状態を示すため共有着荷表示器１００８、および個別着荷表示器１００９を配置する。【選択図】図１
2010172395.tif 000002
【特許請求の範囲】
【請求項１】
宅配物または郵便物の集受に用いられる物品収受装置において、
配達された宅配物を収容するとともに電気錠により施錠可能な物品収容ボックスと、
配達された郵便物を収容する郵便受とを有し、
前記物品収容ボックスが共に特定の宛先に対応づけられて隣接して配置されることを特徴とする物品収受装置。
【請求項２】
特定の宛先に対応づけられる前記物品収容ボックスとは別に、複数の宛先で共有使用される共有物品収容ボックスが配置されることを特徴とする請求項１に記載の物品収受装置。
【請求項３】
前記物品収容ボックスに宅配物を収容できない場合に、前記宅配物の収容に前記共有物品収容ボックスを用いることを特徴とする請求項２に記載の物品収受装置。
【請求項４】
共に特定の宛先に対応づけられる前記物品収容ボックスおよび前記郵便受が１つの専有ユニットの筐体内に隣接して配置されることを特徴とする請求項１に記載の物品収受装置。
【請求項５】
前記専有ユニットの郵便物ないし宅配物の配達側において、前記物品収容ボックスおよび前記郵便受の部分を覆うよう電気錠により施錠可能な扉が設けられ、かつ、該扉に前記郵便受の投函口を露出させる開口部が設けられることを特徴とする請求項４に記載の物品収受装置。
【請求項６】
前記物品収容ボックスの内寸を表示し、前記物品収容ボックスに宅配物を収容可能かを判断するための指標を前記扉に付したことを特徴とする請求項５に記載の物品収受装置。
【請求項７】
前記専有ユニットの郵便物ないし宅配物の取り出し側において、前記物品収容ボックスおよび前記郵便受の部分を覆うよう電気錠により施錠可能な扉が設けられることを特徴とする請求項４に記載の物品収受装置。
【請求項８】
前記専有ユニット内において前記物品収容ボックスおよび前記郵便受を画成する仕切り板が配置され、該前記専有ユニット内における仕切り板の高さを変更する手段を設けたことを特徴とする請求項４に記載の物品収受装置。
【発明の詳細な説明】
【技術分野】
【０００１】
本発明は物品収受装置、特にマンションなどの集合住宅に配置される宅配物または郵便物の集受に用いられる物品収受装置に関するものである。
【背景技術】
【０００２】
マンションなどの集合住宅などには、いわゆる宅配ボックスなどと呼ばれる物品収受装置が設置されることがある。宅配ボックスは、特定の居住者宛ての宅配荷物を受け取る、あるいは特定の居住者が発送する宅配荷物を集荷するための施錠可能、かつ物理的な鍵やＩＤカードを用いた鍵により開錠可能な物品収容ボックスを複数有する、ロッカーに類似した物品収納装置ないし宅配物集合保管装置である。
【０００３】
このような宅配ボックスの物品収納ボックスの受容口の扉は、多くの場合オートロックなどにより画成されたマンションの居住者空間の外側（公共側）に開口し、取り出し口の扉は居住者空間の内側（プライベート側）に配置される。
【０００４】
また、集合住宅などには、宅配ボックスが設置されていなくても、郵便受は必ず配置される。オートロック化されたマンションなどでは、各居住者の居室ごとの郵便受を多数配列した集合型の郵便ポストが用いられており、その受容口は、通常、オートロックにより画成されたマンションの居住者空間の外側に開口し、取り出し口は居住者空間の内側に配置される。
【０００５】
さらに、物品収受、という共通性から、上記の宅配ボックスを、郵便ポストとともに配置する場合の構成として下記特許文献１に示されるような構成が既に知られている。また、宅配ボックスを、郵便ポストとともに配置する場合に、受取人を識別して宅配ボックスと郵便ポストの開錠を連動させる構成も知られている（例えば下記の特許文献２）。
【先行技術文献】
【特許文献】
【０００６】
【特許文献１】特開２００４−２４８７４２号公報
【特許文献２】特開平０５−２８７９４３号公報
【発明の概要】
【発明が解決しようとする課題】
【０００７】
従来では、宅配ボックスと郵便ポストは特に集合住宅のエントランス付近などに殆ど同じ位置に共有物として設置されているにもかかわらず、独立して機能していた。
【０００８】
特に、郵便受は居住者各戸に専用に準備され、部屋番号、個人名などが郵便受けに名札、もしくは印刷で入居者の個人個人がわかるようにされており且つ位置も決まっている。
【０００９】
一方、宅配ボックスは、物品収容ボックスを複数含むものであっても、宅配物の荷物の大きさがさまざまであることと、宅配便が少ないことと、スペースの有効利用のため、居住者各戸に専有的に配置されないことも多い。その場合、例えば、荷物の大きさと共有ボックスの空き状況に応じて、宅配物を配達する宅配業者がその都度宅配物を収容する物品収容ボックスを選択して入庫した後、居住者は専用のＩＤカードなどを用いて該当の宅配物を出庫する、といったように、物品収容ボックスの１つは共有的に使用される。
【００１０】
このように宅配ボックスの物品収容ボックスを共有的に使用する設置形態は、スペースの効率的な利用には役立つが、宅配業者にとっては部屋番号などの押し間違いなど誤って別の部屋番号で入庫してしまい、管理人などを介して非常的にボックスの扉を開錠しなければならなくなるような事態が生じることがある。
【００１１】
また、入居者にとっても郵便物と宅配物を取り出す時に、それぞれ郵便ポストと宅配ボックスの位置に移動して出庫作業を行なわなければならず、特に高齢者などには負担が大きい。
【００１２】
最近、宅配便も各種サービスが充実し、使用頻度も増加すると共に書籍など荷物の小型化が進んでいる、という状況も見受けられ、そのために、宅配ボックスの物品収容ボックスを共有化するメリットよりも共有使用形態によって生じる不便さが目立つようになってきている。
【００１３】
そこで、郵便ポストの郵便受と同様に宅配ボックスの物品収容ボックスを個々の居住者各戸に割り当てることも考えられ、その場合、郵便ポストの郵便受と宅配ボックスの物品収容ボックスを隣接して配置することによって、郵便受と物品収容ボックス双方からの出庫の際の利便性を向上させることができる、と考えられる。しかしながら、この構成では、居住者１所帯に割り当てることができる物品収容ボックスのサイズをそれほど大きくできないために、大型の宅配物を受け取るための各戸割り当ての物品収容ボックスの他に、比較的大型な物品収容ボックスも配置する必要があると考えられる。
【００１４】
さらに、このように、居住者各々に割り当てられる郵便受と物品収容ボックスの他に、大型の宅配物を受け取るための比較的大型な物品収容ボックスを配置する構成においては、居住者専有の物品収容ボックスと、（おそらくは共有的に使用する）比較的大型な物品収容ボックスを用いた宅配物の入庫および出庫を居住者が戸惑うことなく容易かつスムーズに行なえなければならない。
【００１５】
本発明の課題は上記の問題点を解決し、郵便ポストの郵便受と宅配ボックスの物品収容ボックスを個々の居住者各戸に割り当てて配置することにより郵便受と物品収容ボックス双方からの出庫の際の利便性を向上でき、また、居住者専有の物品収容ボックスと比較的大型な物品収容ボックスを用いて種々の大きさの宅配物に対応し、またその場合の宅配物の入庫および出庫を居住者が戸惑うことなく容易かつスムーズに行なえるようにすることにある。
【課題を解決するための手段】
【００１６】
上記課題を解決するため、本発明においては、宅配物または郵便物の集受に用いられる物品収受装置において、配達された宅配物を収容するとともに電気錠により施錠可能な物品収容ボックスと、配達された郵便物を収容する郵便受とを有し、前記物品収容ボックスが共に特定の宛先に対応づけられて隣接して配置される構成を採用した。
【００１７】
あるいはさらに、特定の宛先に対応づけられる前記物品収容ボックスとは別に、複数の宛先で共有使用される共有物品収容ボックスが配置される構成を採用した。
【発明の効果】
【００１８】
上記構成によれば、郵便ポストの郵便受と宅配ボックスの物品収容ボックスを個々の居住者各戸に割り当てて配置することにより、郵便受と物品収容ボックス双方からの出庫の際の利便性を向上でき、あるいはさらに、特定の宛先に対応づけられる前記物品収容ボックスとは別に、複数の宛先で共有使用される共有物品収容ボックスが配置される構成を採用することにより、種々の大きさの宅配物に対応することができる。
【図面の簡単な説明】
【００１９】
【図１】本発明を採用した物品収受装置の専有ユニットの構成（公共側）を示した斜視図である。
【図２】本発明を採用した物品収受装置の専有ユニットの構成（プライベート側）を示した斜視図である。
【図３】本発明を採用した物品収受装置の専有ユニットの構成（公共側）を扉を開いた状態で示した斜視図である。
【図４】本発明を採用した物品収受装置の専有ユニットの側面図である。
【図５】本発明を採用した物品収受装置の構成（公共側）を示した正面図である。
【図６】本発明を採用した物品収受装置の構成（プライベート側）を示した背面図である。
【図７】本発明を採用した物品収受装置の制御回路を示したブロック図である。
【図８】本発明を採用した物品収受装置の入庫手順を示したフローチャート図である。
【図９】本発明を採用した物品収受装置の出庫手順を示したフローチャート図である。
【発明を実施するための形態】
【００２０】
以下、本発明を実施するための最良の形態の一例として、宅配ボックスと郵便ポストを併設して成るマンションなどの集合住宅に設置可能な物品収受装置に関する実施例を示す。以下の実施例では、宅配ボックスの物品収容ボックスと郵便ポストの郵便受は、居住者の各所帯に専有的に割り当てられ、特に物品収容ボックスと郵便受は１所帯（１居住者）専用に割り当てられる専有ユニット内に隣接して配置される。
【実施例】
【００２１】
図１〜図６に本発明を採用した物品収受装置の構成を示す。図５および図６は、宅配ボックスと郵便ポストを併設して成るマンションなどの集合住宅に設置可能な物品収受装置１００のそれぞれ公共側（正面）およびプライベート側（背面）の構成を示している。ここで、「公共側」はマンションなどの集合住宅のエントランスより外側で、郵便物や宅配物を配達するためにその配達業者がアクセス可能な集合住宅の建物の部分をいう。また、プライベート側（背面）は、マンションなどの集合住宅のエントランスより内側で、通常郵便物ないし宅配物の取り出し側に相当する。
【００２２】
物品収受装置１００の物品収容ボックスと郵便ポストの郵便受は、居住者の各所帯に専有的に割り当てられ、特に物品収容ボックスと郵便受は１所帯専用の専有ユニット１０００、１０００…内に隣接して配置される。
【００２３】
また、本実施例の物品収受装置１００では、専有ユニット１０００、１０００…に設けられる各所帯で専有的に使用される比較的小型な物品収容ボックスの他に中型の共有物品収容ボックス１１００、および比較的大型な共有物品収容ボックス１１０１、１１０１…を配置している。
【００２４】
上述の専有ユニット１０００や、共有物品収容ボックス１１００、１１０１は、金属板などを用いて構成される。
【００２５】
図５、および図６に示すように、本実施例の物品収受装置１００では、公共側およびプライベート側の両方に、コンソール１２００、１２００を設けてある。コンソール１２００には、液晶表示器（ＬＣＤ）およびタッチパネルなどを用いて構成された操作表示部、および、少なくともプライベート側のコンソール１２００には居住者が出庫（あるいは入庫）の際に認証のために提示するＩＣカード（以下ＩＣキーともいう）を読み取るためのＩＣカードリーダが設けられる。
【００２６】
以下、図１〜図４を参照して上記の物品収受装置１００において、居住者の各所帯に専有的に割り当てられる宅配ボックスの物品収容ボックスと郵便ポストの郵便受を含む専有ユニット１０００の構成を詳細に説明する。
【００２７】
図１、図３は、専有ユニット１０００の公共側（正面）を、図２は専有ユニット１０００のプライベート側（背面）を、また、図４は専有ユニット１０００の側面をそれぞれ示している。
【００２８】
専有ユニット１０００の筐体内には、郵便受１００１と物品収容ボックス１００２を画成し、これら郵便受１００１と物品収容ボックス１００２、従って、専有ユニット１０００は、物品収受装置１００が設置される集合住宅における特定の居住者に専有的に割り当てられる。
【００２９】
図３に示すように、専有ユニット１０００の郵便受１００１および物品収容ボックス１００２の公共側は、ヒンジ１００４、１００４で開閉可能に支持された扉１００３により覆われている。扉１００３は物品収容ボックス１００２の扉１００３を兼ねている。この扉１００３には図１のように扉１００３を閉じた状態でも郵便受１００１の投函口１００５を外部に露出させるよう、開口１００５ａを設けてある。このため、郵便物の配達業者は扉１００３を開くことなく、投函口１００５から郵便物を投函できる。
【００３０】
扉１００３の表面には、専有ユニット１０００が割り当てられる居住者の部屋番号や氏名などを表記したり、あるいはそのための名札などを付しておくことができる。さらに本実施例では、たとえば矩形の線画などによるインジケータ１００６を印刷などの手法により付してある。このインジケータ１００６の枠線は、物品収容ボックス１００２の内寸を表示すべく付してあり、これにより宅配業者は扉１００３を開くことなく物品収容ボックス１００２の内寸を知ることができる。すなわち、インジケータ１００６は、物品収容ボックス１００２に宅配物を収容可能かを判断するための指標として設けられたものである。
【００３１】
なお、ここで、扉１００３は物品収容ボックス１００２の部分のみを開閉するように公共側の例えば下半分を覆うように設けてもよいが、その場合にはヒンジ１００４、１００４の配置間隔がより狭くなる問題が生じる。図示の例のように上下に配置された郵便受１００１と物品収容ボックス１００２全体を覆うように扉１００３を設け、ヒンジ１００４、１００４で支持する構造とすれば、ヒンジ１００４、１００４の配置間隔を大きく取ることが可能となり、ヒンジ１００４、１００４の耐久性をより向上できる利点がある。なお、本実施例では、後述のプライベート側の扉１０１３も同様に郵便受１００１と物品収容ボックス１００２全体を覆うように設けてあるため、同様の利点がある。
【００３２】
扉１００３は、電気錠１００７（図３、図４）により開錠または施錠される。電気錠１００７は、不図示のソレノイドなどの駆動手段により、扉１００３のラッチ１００７ａをロック／アンロックすることにより扉１００３を施錠／開錠する。電気錠１００７は宅配業者の操作などに従って、後述の制御回路（図７）により制御される。
【００３３】
専有ユニット１０００の物品収容ボックス１００２または郵便受１００１の近傍、特に公共側の側部には、共有着荷表示器１００８、および個別着荷表示器１００９を配置してある。共有着荷表示器１００８、および個別着荷表示器１００９の表示器はたとえばＬＥＤ（配置スペースが可能であればＬＣＤなど他の表示素子を用いてもよい）などの表示素子から構成され、点灯／消灯／点滅あるいはそれらの表示色などによって複数の表示状態をとることができ、それによりそれぞれ共有物品収容ボックス１１００、１１０１、および当該の専有ユニット１０００の物品収容ボックス１００２の着荷状態を表示することができる。
【００３４】
個別着荷表示器１００９の表示状態は、専有ユニット１０００の物品収容ボックス１００２の底面に配置した荷物センサ１０１０（図３）の検出状態に応じて後述の制御回路（図７）により制御される。共有物品収容ボックス１１００、１１０１にも同様の荷物センサ（２１０４：図７）が設けられる。これら荷物センサは光センサなどを用いて物品収容ボックス１００２ないし共有物品収容ボックス１１００、１１０１の内部に宅配物が収容されているか否かを検出する。
【００３５】
なお、専有ユニット１０００の公共側に共有着荷表示器１００８、および個別着荷表示器１００９を配置するのは、主に公共側を通過する居住者が自己の郵便物や宅配物の着荷状態を知るのを容易にするためであるが、セキュリティ上それが好ましくない場合には、専有ユニット１０００の公共側にはこれらの表示器を設けなくてもよい（下記の制御では公共側、および後述のようにプライベート側においても物品収容ボックス１００２または郵便受１００１の近傍に設けられる共有着荷表示器１００８、１０１１および個別着荷表示器１００９、１０１２のいずれも用いる例を示す）。
【００３６】
図２に示すように、専有ユニット１０００のプライベート側には、ヒンジ１０１４により開閉可能に支持された扉１０１３を設けてある。居住者は、後述の認証操作を経て、このプライベート側の扉１０１３を開錠することができ、郵便受１００１および物品収容ボックス１００２から配達された内部の郵便物ないし物品を取り出すことができる。扉１０１３は、電気錠１０１４（図３、図４）により開錠または施錠される。電気錠１０１４は、不図示のソレノイドなどの駆動手段により、扉１０１３のラッチをロック／アンロックすることにより扉１０１３を施錠／開錠する。
【００３７】
また、専有ユニット１０００のプライベート側の側部には、共有着荷表示器１０１１、および個別着荷表示器１０１２を配置してある。これらの表示器の構成および機能は上述の公共側の共有着荷表示器１００８、および個別着荷表示器１００９と同様である。上記のセキュリティ上の理由から、専有ユニット１０００には、このプライベート側の共有着荷表示器１０１１、および個別着荷表示器１０１２のみを設けるようにすることができる。
【００３８】
図４は、専有ユニット１０００の側面方向から専有ユニット１０００の内部構造、特に、電気錠１００７、１０１４の配置位置と扉１００３、１０１３の位置関係を示している。郵便受１００１および物品収容ボックス１００２は、郵便受１００１の底面、および物品収容ボックス１００２の天井面を構成する仕切り板１００１ａにより仕切られており、投函口１００５から投函された郵便物は物品収容ボックス１００２に落下することはなく、また、特に公共側からのアクセスにおいては、扉１００３を開いたからといって物品収容ボックス１００２側から郵便受１００１内部にアクセスすることはできない。一方、プライベート側からのアクセスにおいては、居住者は扉１０１３を開くことができれば、郵便受１００１および物品収容ボックス１００２のいずれの内部にもアクセスすることができ、郵便物および宅配物のいずれをも出庫することができる。
【００３９】
仕切り板１００１ａの専有ユニット１０００内部における位置（高さ）は固定でもよいが、専有ユニット１０００内部の任意の高さに取り付けられるような構造とするとよい。たとえば、仕切り板１００１ａの高さを変更する手段として、不図示のフックなどの係合手段を専有ユニット１０００内部側壁の左右の異なる高さに設けておき、一方、仕切り板１００１ａにはこれらの高さのフックのいずれかに係合するような爪を設けることにより、このような仕切り板１００１ａの高さ調整が可能となる。このような構成により、たとえば、その居住者が通常、受け取る郵便物や宅配物の大きさ（高さ）に応じて仕切り板１００１ａを専有ユニット１０００内における高さを調節でき、予想される郵便物や宅配物の配達状況に応じて居住者（あるいは管理者）が郵便受１００１および物品収容ボックス１００２の高さ（あるいは容積）を変更することができる。
【００４０】
なお、共有物品収容ボックス１１００、１１０１は、上述の物品収容ボックス１００２部分と同様の構成を有するものとする。すなわち、扉１００３、１０１３と同様の公共側、プライベート側の扉、これらの扉を施錠／開錠する電気錠１００７、１０１４と同様の電気錠（２１０３：図７）、荷物センサ１０１０と同様の荷物センサ（２１０４：図７）などである。
【００４１】
図７に、図１〜図６に示した物品収受装置１００の制御回路の構成を示す。図７においては、以上で説明した各構成部材については同一の参照符号を用いており、各部材の機能については以下では必要な場合を除き、重ねて説明しない。
【００４２】
物品収受装置１００の制御回路の主要部は、マイクロプロセッサなどから成るＣＰＵ２００１、その制御プログラムや制御定数を格納したＲＯＭ２００２、ワークエリアや各種制御データを格納したテーブルなどを記憶するためのＲＡＭ２００３、およびネットワークインターフェースや、Ｉ／Ｏポートなど接続される物品収受装置１００の構成部材との入出力インターフェース方式にそれぞれ整合したインターフェース回路などから構成される外部インターフェース２００４、２００５から成る。
【００４３】
ＣＰＵ２００１は、ＲＯＭ２００２に格納された制御プログラムに従って、各部の施錠／開錠などを含む装置全体の動作を制御する。
【００４４】
外部インターフェース２００４には、上述の専有ユニット１０００（＃１〜＃ＮのＮ個が物品収受装置１００に設けられるものとする）の電気錠１００７、１０１４、荷物センサ１０１０、および共有着荷表示器１０１１、１００８、および個別着荷表示器１０１２、１００９が接続される。
【００４５】
外部インターフェース２００５には、液晶表示器およびタッチパネル、ＩＣカードリーダなどから成るコンソール１２００のユーザーインターフェース回路２１０１、コンソール１２００に設けられ、宅配業者に宅配物のレシート（受領証）などを発行するためのスタンプ装置（あるいはプリンタ）２１０２、共有物品収容ボックス１１００、１１０１の電気錠２１０３、および荷物センサ２１０４が接続される。
【００４６】
さらに、上記の外部インターフェース２００４、２００５の他に、別の外部インターフェースとして、マンションのオートロックシステム、居住者各居室のインターフォン、あるいは管理センターなどとネットワークを介して通信するためのネットワークインターフェースなどが設けられていてもよい。このような外部インターフェースを設けておけば、例えば共有着荷表示器１０１１、１００８、ないし個別着荷表示器１０１２、１００９の表示状態を居住者各居室のインターフォンや管理センターに伝達し、そちらでも同じ着荷表示を行なうこともできる。
【００４７】
ＣＰＵ２００１は、公共側、およびプライベート側のコンソール１２００を介して行なわれる宅配業者の入庫操作（図８）、および居住者の出庫操作（図９）に応じて電気錠１００７、２１０３を制御することにより専有ユニット１０００の扉１００３、１０１３の施錠／開錠（開閉）、および共有物品収容ボックス１１００、１１０１の扉の施錠／開錠（開閉）を制御する。
【００４８】
出庫操作（図９）に関して、居住者は、コンソール１２００のカードリーダにあらかじめ部屋番号やＩＤ情報を格納したＩＣキー（ＩＣカード）を提示する認証操作を行なう。ＩＣキー（ＩＣカード）は居住者に対してあらかじめ配布しておき、そのＩＤ情報と照合するための認証情報はＲＯＭ２００２やＲＡＭ２００３に格納しておく（ＲＡＭ２００３に格納する場合は、主電源遮断などにも対応できるよう、ＲＡＭ２００３の該当領域をバッテリーなどによりバックアップする）。
【００４９】
なお、出庫の際の認証には、ＩＣキー（ＩＣカード）を用いる他に、あるいは磁気カードなど他の適当なＩＤ情報を記録したキー手段を用いるようにしてもよい。
【００５０】
次に上記構成における入庫および出庫動作につき、図８および図９を参照して説明する。図８は上述の物品収受装置１００の郵便物ないし宅配物の入庫手順を、図９は上述の物品収受装置１００の郵便物ないし宅配物の出庫手順をそれぞれ示したフローチャート図である。図８および図９の制御手順のうち、物品収受装置１００が実行する部分は、ＣＰＵ２００１の制御プログラムとしてＲＯＭ２００２に格納しておく。
【００５１】
まず、図８を用いて、物品収受装置１００の専有ユニット１０００の物品収容ボックス１００２または共有物品収容ボックス１１００ないし１１０１に対する宅配荷物の入庫時の制御につき説明する。なお、郵便物（あるいは新聞やチラシなどの配達物）は上述の通り、投函口１００５から郵便受１００１に自由に投函できる。
【００５２】
この図８の手順では、宅配物などの配達業者（宅配業者）は、公共側のコンソール１２００（図５）を用いて物品収受装置１００を操作する。その際、本実施例では、コンソール１２００（図５）の液晶表示器を用いて「お届け」ボタン、および「部屋番号」ボタン、あるいはさらにテンキーなどのボタンを表示しコンソール１２００のタッチパネルを介して宅配業者にこれらを操作させるものとする。もちろん、このような操作方式、操作形態はあくまでも一例であり、コンソール１２００に専用のスイッチやボタンを設けてそれらを操作したり、あるいはコンソール１２００に音声認識手段を設けておき、操作者の音声による指示（操作）を読み取るような構成でも上記と同等の操作が可能であるのはいうまでもない。
【００５３】
図８のステップＳ１０１では、宅配業者は「お届け」ボタンを操作し、さらに「部屋番号」ボタン、およびテンキーなどを用いて、宅配物の配達宛先の居住者の部屋番号を指定する。なお、ここで宅配業者がテンキーなどを用いて共有物品収容ボックス１１００、１１０１を直接指定できるようにしてもよく、その操作を行なった場合は下記のステップＳ１０３を経ずに直接ステップＳ１０５に移行すればよい。
【００５４】
ステップＳ１０３では、ＣＰＵ２００１は荷物センサ１０１０を用いて個別の（専有ユニット１０００の）物品収容ボックス１００２が空いているかを検出する。これは既に物品が物品収容ボックス１００２に収容されている場合、その物品収容ボックス１００２を開錠しないようにするためである。本実施例では、この制御を行なうため既に物品が物品収容ボックス１００２に入庫している場合、第３者（たとえば宅配業者）が物品収容ボックス１００２内にアクセスできないよう保護することができる。
【００５５】
ステップＳ１０３で物品が個別の（専有ユニット１０００の）物品収容ボックス１００２に収容されていなければ、ステップＳ１０４で配達物が個別の（専有ユニット１０００の）物品収容ボックス１００２に収容可能であるか否かが判定される。この判定の主体は、たとえば宅配業者であり、配達物が該当の物品収容ボックス１００２に収容できない、と判断した場合は宅配業者が公共側のコンソール１２００の特定のボタンなどを操作するものとし、この操作を検出した場合にステップＳ１０５に移行する。なお、宅配業者に物品収容ボックス１００２への物品収容が可能であるか否かを判断させるためには、前述の扉１００３に設けたインジケータ１００６の表示を用いることができる。また、この段階で該当の物品収容ボックス１００２の電気錠１００７を開錠してもよい（このとき扉１００３をいわゆるポップアップ開錠方式により開くと便利である）。この手法によっても宅配業者は物品収容ボックス１００２への収容を試行することができる。
【００５６】
個別の物品収容ボックス１００２に配達物を収容可能である場合には、ステップＳ１０６までの適当なタイミングで該当の物品収容ボックス１００２の電気錠１００７を開錠状態とし、宅配業者は該当の物品収容ボックス１００２に配達物を入庫する。
【００５７】
ステップＳ１０８では、ステップＳ１０２で部屋番号を指定された宛先の居住者の専有ユニット１０００に設けた個別着荷表示器１００９および１０１２を点灯させる。このとき、個別着荷表示器１００９および１０１２は、荷物センサ１０１０で実際に配達物が収容されたことを条件として点灯させることにより、確実に配達物が収容されたことを確認した上で後述の受領証（レシート）を発行することができ、確実に配達物授受を行なうことができる。宛先の居住者は、個別着荷表示器１００９および１０１２を視認することにより、公共側、およびプライベート側のいずれの側からも自分の専有ユニット１０００の物品収容ボックス１００２に着荷があるか否かを容易に識別できる。
【００５８】
配達物を入庫した後の物品収容ボックス１００２の施錠は、たとえば扉１００３を閉じて、ラッチ１００７ａを電気錠１００７に係合させることにより行なうものとする。
【００５９】
一方、個別の物品収容ボックス１００２が空いていない、または配達物が大きく収容不能である場合にはステップＳ１０５において、ＣＰＵ２００１は荷物センサ２１０４を介して共有物品収容ボックス１１００、１１０１に空きがあるかを検出する。ここで共有物品収容ボックス１１００、１１０１に空きがない（たとえば全てのボックスに物品が収容されている）場合には、ステップＳ１１１において、宅配業者が不在票を該当の郵便受１００１に投函するなどして入庫処理が終了する。
【００６０】
共有物品収容ボックス１１００、または１１０１に空きがある場合には、宅配業者は該当の共有物品収容ボックス１１００、または１１０１に配達物を入庫する。なお、通常、共有物品収容ボックスの場合は、入庫のないボックスは常時開錠状態としておくが、もし保安上の理由などから入庫のないボックスも施錠状態とするならば、ステップＳ１０７までの適当なタイミングで共有物品収容ボックス１１００、または１１０１の電気錠２１０３を開錠する。
【００６１】
共有物品収容ボックス１１００、または１１０１に配達物を入庫した後の共有物品収容ボックス１１００、または１１０１の施錠は、たとえば当該の共有物品収容ボックスの扉を宅配業者が閉じ、そのボックスのラッチと電気錠を係合させることにより行なうものとする。
【００６２】
ステップＳ１０９では、ステップＳ１０２で部屋番号を指定された配達宛先の居住者の専有ユニット１０００に設けた共有着荷表示器１００８および１０１１を点灯させる。このとき、共有着荷表示器１００８および１０１１は、共有物品収容ボックス１１００、または１１０１の荷物センサ２１０４で実際に配達物が収容されたことを条件として点灯させることにより、確実に配達物が収容されたことを確認した上で後述の受領証（レシート）を発行することができ、確実に配達物授受を行なうことができる。
【００６３】
ここで重要なのは、本実施例では、ステップＳ１０２で部屋番号を指定された配達宛先の居住者の専有ユニット１０００に設けた共有着荷表示器１００８および１０１１を点灯させる点である。これにより、配達宛先の居住者は、比較的頻繁にチェックするであろう郵便受１００１を含む専有ユニット１０００において、共有着荷表示器１００８および１０１１を視認することにより、公共側、およびプライベート側のいずれの側からも自分宛の配達物が共有物品収容ボックス１１００、または１１０１に着荷しているか否かを容易に識別できる。
【００６４】
ステップＳ１０８、Ｓ１０９の後、ステップＳ１１０では、スタンプ装置２１０２を用いて、時刻や入庫先のボックス番号などを印刷した受領証（レシート）を印刷し、入庫処理を終了する。
【００６５】
次に図９を用いて、物品収受装置１００の専有ユニット１０００の物品収容ボックス１００２または共有物品収容ボックス１１００ないし１１０１からの配達物を出庫する時の制御につき説明する。
【００６６】
図９のステップＳ２０１で居住者が個別着荷表示器１０１２（または１００９）の点灯を確認すると、ステップＳ２０２においてコンソール１２００（プライベート側）のカードリーダに自己のＩＣキー（ＩＣカード）を提示する。
【００６７】
これに応じて、ＣＰＵ２００１は専有ユニット１０００の物品収容ボックス１００２の電気錠１０１４を介して扉１０１３を開錠する。これにより、居住者は自己の専有ユニット１０００の物品収容ボックス１００２に着荷している配達物を出庫することができる。なお、ここではプライベート側（図６）のコンソール１２００を用いる例を示したが、この操作には公共側のコンソール１２００を用いてもよく、その場合は、ＩＣキー（ＩＣカード）の提示に応じて開錠する扉は公共側の扉１００３とすればよい。
【００６８】
また、ステップＳ２０３で居住者が共有着荷表示器１０１２（または１００９）の点灯を確認すると、ステップＳ２０４においてコンソール１２００（プライベート側）のカードリーダに自己のＩＣキー（ＩＣカード）を提示する。
【００６９】
これに応じて、ＣＰＵ２００１は、ＩＣキー（ＩＣカード）により識別される居住者宛の配達物が着荷している共有物品収容ボックス１１００ないし１１０１の電気錠（２１０３：図７）を開錠し、該当の共有物品収容ボックス１１００ないし１１０１の扉を開錠する。これにより、居住者は共有物品収容ボックス１１００ないし１１０１に着荷している配達物を出庫することができる。ここでもプライベート側（図６）のコンソール１２００を用いる例を示したが、この操作には公共側のコンソール１２００を用いてもよく、その場合は、ＩＣキー（ＩＣカード）の提示に応じて開錠する扉は公共側の扉１００３とすればよい。
【００７０】
なお、郵便受１００１に投函された郵便物は、プライベート側（図６）のコンソール１２００にＩＣキー（ＩＣカード）を提示し、これに応じてＣＰＵ２００１がプライベート側の扉１０１３を開くことにより取り出すことができる。
【００７１】
以上のように、本実施例によれば、郵便受１００１と宅配ボックスの物品収容ボックス１００２を個々の居住者各戸に割り当てて配置することにより郵便受１００１と物品収容ボックス１００２の双方からの出庫の際の利便性を向上できる。特に、郵便受１００１と物品収容ボックス１００２は専有ユニット１０００として隣接して配置されるため、例えばプライベート側からは１つの扉１０１３をＩＣカード（ＩＣキー）を提示するという１操作で済む認証操作によって、簡単に開くことができ、郵便物と宅配物を１回の出庫操作によって極めて容易に取り出すことができ、高齢者にとっても負担が小さく、居住者の利便性に大きく寄与することができる。
【００７２】
また、居住者にそれぞれ専用の物品収容ボックス１００２を割り当てるようにしているので、宅配業者が部屋番号を誤まることなどにより生じる入庫ミスを回避でき、確実に宛先に宅配物を配達することができる。また、居住者にそれぞれ専用の物品収容ボックス１００２を割り当てることができるため、たとえば物品収受装置１００が設置されるマンションなどの集合住宅の付加価値を大きく向上することができる。
【００７３】
また、本実施例によれば、居住者専有の物品収容ボックス１００２の他に、中型、大型の共有物品収容ボックス１１００、１１０１を配置しているため、物品収容ボックス１００２に入りきらない宅配物もこれら共有物品収容ボックス１１００、１１０１を用いて配達することができる。
【００７４】
さらに、居住者に各々割り当てる専有ユニット１０００には、共有着荷表示器１００８、１０１１および個別着荷表示器１００９、１０１２を設けるようにしているので、個別の物品収容ボックス１００２への着荷を個別着荷表示器１００９、１０１２で公共側、プライベート側のいずれからも容易に確認できるのはもちろん、専有ユニット１０００とは別の位置にある共有物品収容ボックス１１００、１１０１への着荷を共有着荷表示器１００８、１０１１を介して公共側、プライベート側のいずれからも容易に確認することができ、宅配物の入庫および出庫を居住者が戸惑うことなく容易かつスムーズに行なえる。
【００７５】
なお、図１〜図４に示したように郵便受１００１と宅配ボックスの物品収容ボックス１００２は、居住者に各々割り当てるべく隣接して１つの専有ユニット１０００の筐体内に配置することができる。このように専有ユニット１０００内に郵便受１００１と物品収容ボックス１００２を配置することにより、居住者１所帯あたりが必要とするスペースを小さくすることができる（郵便受１００１と物品収容ボックス１００２は専有ユニット１０００にたとえば仕切り板１００１ａを設けるだけで画成できる）。従って、物品収受装置１００の配置空間中で居住者１所帯あたりが必要とするスペースを効率よく配分することができ、ひいてはマンションなどの集合住宅のスペースを有効に利用することができるようになる。また、このように専有ユニット１０００を構成しておけば、専有ユニット１０００を配列することによって容易に物品収受装置１００を構成することができ、ユニット化によって専有ユニット１０００を割り当てる居住者を単位として配線を取りまとめることができるなど、物品収受装置１００を簡潔に構成でき、その製造コストを低減できる。
【産業上の利用可能性】
【００７６】
本発明は、マンションなどの集合住宅に配置される宅配物または郵便物の集受に用いられる物品収受装置において広く実施することができる。
【符号の説明】
【００７７】
１００  物品収受装置
１０００  専有ユニット
１００１  郵便受
１００２  物品収容ボックス
１００３、１０１３  扉
１００５  投函口
１００８、１０１１  共有着荷表示器
１００９、１０１２  個別着荷表示器
１０１０  荷物センサ
１１００  共有物品収容ボックス
１１０１  共有物品収容ボックス
１２００  コンソール
２００１  ＣＰＵ
２００２  ＲＯＭ
２００３  ＲＡＭ
２００４、２００５  外部インターフェース
２１０１  ユーザーインターフェース回路
２１０２  スタンプ装置（プリンタ）
２１０３  電気錠
２１０４  荷物センサ
【図１】
2010172395.tif 000003
【図２】
2010172395.tif 000004
【図３】
2010172395.tif 000005
【図４】
2010172395.tif 000006
【図５】
2010172395.tif 000007
【図６】
2010172395.tif 000008
【図７】
2010172395.tif 000009
【図８】
2010172395.tif 000010
【図９】
2010172395.tif 000011